(57)【要約】【課題】ステータコアに巻回されるコイルの特定のターンに大きな電圧が作用するのを抑制する。【解決手段】ステータコア２３とコイル３１との間に配置され且つステータコア２３に対して絶縁され且つコイル３１との間に静電容量（浮遊容量）を有する電極４０，４１を有し、電極４０が導線３０におけるコイル３１より入力端子３８側に接続され、電極４１が導線３０におけるコイル３１より中性点３９側に接続される。これにより、三相交流回転電機２０にサージ電圧に伴う高周波電流が印加されたときに、コイル３１の各ターンと電極４０，４１との間で並列な浮遊容量により、コイル３１の特定のターンに高周波電流が集中して流れる（大きな電流が流れる）のを抑制することができ、特定のターンの高周波電流に対する分担電圧が高くなるのを抑制することができる。【選択図】図１
2015154705.tif 000002
【特許請求の範囲】
【請求項１】
ステータコアと、該ステータコアに巻回される各相の複数のコイルと該各相における隣り合うコイルを繋ぐ渡り線とを有する各相の導線と、を有するステータを備える三相交流回転電機であって、
前記コイルと前記ステータコアとの間に介在し且つ該ステータコアに対して絶縁され且つ前記コイルとの間に静電容量を有する少なくとも１つの電極を含む複数の電極を備え、
前記導線における前記コイルより入力端子側と該コイルの一点と該コイルより該入力端子とは反対側とのうち少なくとも２箇所に、前記複数の電極のうち少なくとも１つずつが電気的に接続されている、
ことを特徴とする三相交流回転電機。
【発明の詳細な説明】
【技術分野】
【０００１】
本発明は、三相交流回転電機に関し、詳しくは、ステータコアと、ステータコアに巻回される各相の複数のコイルと各相における隣り合うコイルを繋ぐ渡り線とを有する各相の導線と、を有するステータを備える三相交流回転電機に関する。
【背景技術】
【０００２】
従来、モータの可変速駆動にはインバータ電源が広く用いられている。しかしながら、こうした構成ではインバータのスイッチング素子のスイッチングのタイミングで各相の入力端子間に、通常の交流電圧に比して急峻に変化するサージ電圧が印加されることが報告されている（例えば、非特許文献１参照）。この場合、インダクタンスを有するコイル中よりも、より高周波インピーダンスの低い、コイルとステータの間の対地容量を介した経路に高周波電流が集中して流れることがあり、結果として入力端側の巻線間に大きな電圧が作用する。こうして大きな電圧が作用すると、微小な放電現象（いわゆる部分放電）が繰り返し発生し、導線（コイル）の皮膜が劣化し、絶縁破壊が生じるおそれがある。
【０００３】
巻線各部の対地分布静電容量に比し巻線間の分布静電容量を大きく設計すれば、巻線間の電圧分布は一様に近づき、電圧の最大値は低下する。このため、特許文献１では、２本の電線Ａ，Ｂからなる導体をモータ巻線の巻き回数の１／２回だけ巻いた後、電線Ａの巻き終わりと電線Ｂの巻き始めとを外部で接続する低圧モータが提案されている。この低圧モータでは、接続部と電線Ａの巻き始めと巻き終わりとの間にコンデンサを接続することにより、高周波電流のバイパス経路を設けて、入力端側の巻線間の分担電圧を抑制している。
【先行技術文献】
【特許文献】
【０００４】
【特許文献１】特許第４３１６９４８号
【非特許文献】
【０００５】
【非特許文献１】電気学会技術報告第７３９号．ｐ．１４〜２０
【発明の概要】
【発明が解決しようとする課題】
【０００６】
上述の低圧モータでは、入力端側のターン間において、バイパス経路より対地容量を介した経路に多くの高周波電流が流れるため、分担電圧の抑制効果が十分でなく、大きな効果を得るためには接続するコンデンサの容量・体格が大型化する欠点がある。
【０００７】
本発明の三相交流回転電機は、大容量コンデンサを接続することなく、ステータコアに巻回されるコイルの特定のターンに大きな電圧が作用するのを抑制することを主目的とする。
【課題を解決するための手段】
【０００８】
本発明の三相交流回転電機は、上述の主目的を達成するために以下の手段を採った。
【０００９】
本発明の三相交流回転電機は、
ステータコアと、該ステータコアに巻回される各相の複数のコイルと該各相における隣り合うコイルを繋ぐ渡り線とを有する各相の導線と、を有するステータを備える三相交流回転電機であって、
前記コイルと前記ステータコアとの間に介在し且つ該ステータコアに対して絶縁され且つ前記コイルとの間に静電容量を有する少なくとも１つの電極を含む複数の電極を備え、
前記導線における前記コイルより入力端子側と該コイルの一点と該コイルより該入力端子とは反対側とのうち少なくとも２箇所に、前記複数の電極のうち少なくとも１つずつが電気的に接続されている、
ことを特徴とする。
【００１０】
この本発明の三相交流回転電機では、コイルとステータコアとの間に介在し且つステータコアに対して絶縁され且つコイルとの間に静電容量を有する少なくとも１つの電極を含む複数の電極を備え、導線におけるコイルより入力端子側とコイルの一点とコイルより入力端子とは反対側とのうち少なくとも２箇所に、複数の電極のうち少なくとも１つずつが電気的に接続されている。例えば、第１電極と第２電極との２つの電極を備える場合、３箇所のうち一箇所（例えばコイルより入力端子側）に第１電極が接続され、３箇所のうち他の一箇所（例えばコイルより入力端子とは反対側）に第２電極が接続される。電極によってコイルの各ターンと電極との間で並列な浮遊容量を有するが、３箇所のうち少なくとも２箇所（例えばコイルより入力端子側とそれとは反対側）に少なくとも１つずつの電極が電気的に接続されることにより、三相交流回転電機にサージ電圧に伴う高周波電流が印加されたときに、コイルの特定のターンに電流が集中する（大きな電流が流れる）のを抑制することができ、いずれかのターンに大きな電圧が作用するのを抑制することができる。この結果、三相交流回転電機の絶縁耐力を向上させることができる。ここで、「コイルより入力端子とは反対側」とは、各相の導線がＹ結線のときには中性点側を意味し、各相の導線がΔ結線のときには他の相の入力端子側を意味する。また、「コイルより入力端子側」には、入力端子も含まれ、「コイルより入力端子とは反対側」には、Ｙ結線のときの中性点，Δ結線のときの他の相の入力端子も含まれる。
【００１１】
こうした本発明の三相交流回転電機において、前記複数の電極は、第１電極と、前記コイルとの間の静電容量が前記第１電極と等しい第２電極とを含む、ものとすることもできる。こうすれば、コイルの特定のターンに電流が集中するのをより抑制することができ、コイルの各ターンの高周波電流に対する電圧（分担電圧）の差をより小さくすることができる。
【００１２】
また、本発明の三相交流回転電機において、前記複数の電極は、前記コイルより前記入力端子側に接続される第１電極と、該コイルより該入力端子とは反対側に接続される第２電極とを含む、ものとすることもできる。こうすれば、コイルの特定のターンに電流が集中するのをより抑制することができ、コイルの各ターンの高周波電流に対する電圧（分担電圧）の差をより小さくすることができる。
【００１３】
さらに、本発明の三相交流回転電機において、前記複数の電極は、前記コイルと前記ステータコアとの間に介在する少なくとも１つの電極と、前記コイルと前記ステータコアとの間に介在しない少なくとも１つの電極とを含む、ものとすることもできる。
【図面の簡単な説明】
【００１４】
【図１】本発明の一実施例としての三相交流回転電機２０のステータ２１の一部の分解斜視図および構成図である。
【図２】実施例の三相交流回転電機２０のステータ２１の各相の導線３０ｕ，３０ｖ，３０ｗの回路図である。
【図３】第１比較例の三相交流回転電機２０Ｂのステータ２１Ｂの一部の分解斜視図および構成図である。
【図４】第２比較例の三相交流回転電機２０Ｃのステータ２１Ｃの一部の分解斜視図および構成図である。
【図５】実施例の三相交流回転電機２０のコイル３１ｕ１周辺の等価回路およびコイル３１ｕ１の各ターン３１ｕ１ａ〜３１ｕ１ｅの高周波電流に対する分担電圧の一例を示す説明図である。
【図６】第１比較例の三相交流回転電機２０のコイル３１ｕ１周辺の等価回路およびコイル３１ｕ１の各ターン３１ｕ１ａ〜３１ｕ１ｅの高周波電流に対する分担電圧の一例を示す説明図である。
【図７】第２比較例の三相交流回転電機２０のコイル３１ｕ１周辺の等価回路およびコイル３１ｕ１の各ターン３１ｕ１ａ〜３１ｕ１ｅの高周波電流に対する分担電圧の一例を示す説明図である。
【図８】変形例の三相交流回転電機１２０のステータ１２１の一部の分解斜視図および構成図である。
【図９】変形例の三相交流回転電機２２０のステータ２２１の一部の分解斜視図および構成図である。
【図１０】変形例の三相交流回転電機３２０のステータ３２１の一部の分解斜視図および構成図である。
【図１１】変形例の三相交流回転電機４２０のステータ４２１の一部の分解斜視図および構成図である。
【発明を実施するための形態】
【００１５】
次に、本発明を実施するための形態を実施例を用いて説明する。
【実施例】
【００１６】
図１は、本発明の一実施例としての三相交流回転電機２０のステータ２１の一部の分解斜視図および構成図であり、図２は、実施例の三相交流回転電機２０のステータ２１の各相の導線３０ｕ，３０ｖ，３０ｗの回路図である。
【００１７】
実施例の三相交流回転電機２０は、回転軸に取り付けられた図示しないロータと、ロータの外周側に配置されたステータ２１とを備え、図示しないインバータのスイッチング素子のスイッチングによって三相交流電力が印加されて駆動される。そして、ステータ２１は、図１（ａ）の分解斜視図および図１（ｂ）の構成図に示すように、ステータコア２３と、ステータコア２３のティース２４に集中巻により巻回される各相（Ｕ相，Ｖ相，Ｗ相）の複数のコイル３１を含む各相の導線３０と、ステータコア２３とコイル３１との間に配置される（介在する）電極４０，４１と、を備える。
【００１８】
各相の導線３０（３０ｕ，３０ｖ、３０ｗ）は、導体が絶縁体により被覆されて形成されており、図２に示すように、Ｙ結線されており、それぞれ、入力端子３８（３８ｕ，３８ｖ，３８ｗ）側から中性点３９側に複数（実施例では５つ）のコイル３１（３１ｕ１〜３１ｕ５，３１ｖ１〜３１ｖ５，３１ｗ１〜３１ｗ５）と、同相の隣り合うコイル３１を繋ぐ渡り線３２と、を有する。各相のコイル数は、５つに限定されるものではく、４つ以下または６つ以上であってもよいのは勿論である。
【００１９】
電極４０，４１は、導体が絶縁体により被覆されており、それぞれステータコア２３のティース２４の側面（周方向端面）の一方側（図１（ｂ）の右側），他方側とコイル３１との間に配置されている。この電極４０，４１は、ステータコア２３に対して絶縁されており、ステータコア２３との間に静電容量（対地容量）を有すると共にコイル３１との間に静電容量（浮遊容量）を有する。なお、電極４０，４１は、導電性の材料によって形成されるものであればよく、金属薄膜やメッキなどコイル３１の占積率に対する影響が小さい形態とするのが好ましい。
【００２０】
また、電極４０は、コイル３１より入力端子３８側（コイル３１ｕ１，３１ｖ１，３１ｗ１に対応するものついては入力端子３８ｕ，３８ｖ，３８ｗ、その他のコイルに対応するものについては入力端子３８側のコイルとの渡り線３２）に接続線３５を介して電気的に接続されており、電極４１は、コイル３１より中性点３９側（コイル３１ｕ５，３１ｖ５，３１ｗ５に対応するものについては中性点３９、その他のコイルに対応するものについては中性点３９側のコイルとの渡り線３２）に接続線３６を介して電気的に接続されている。なお、導線３０と電極４０，４１との電気的接続は、接続線３５，３６を用いずに導線３０と電極４０，４１とを溶接したりハンダ付けしたりするものとしてもよい。
【００２１】
次に、実施例の三相交流回転電機２０の特性について説明する。なお、実施例では、この説明に際して、以下の２つの比較例を考えるものとした。
【００２２】
図３は、第１比較例の三相交流回転電機２０Ｂのステータ２１Ｂの一部の分解斜視図および構成図であり、図４は、第２比較例の三相交流回転電機２０Ｃのステータ２１Ｃの一部の分解斜視図および構成図である。第１比較例の三相交流回転電機２０Ｂのステータ２１Ｂは、図３に示すように、電極４０，４１や接続線３６，３７を用いない点を除いて、実施例の三相交流回転電機２０のステータ２１と同一である。また、第２比較例の三相交流回転電機２０Ｃのステータ２１Ｃは、図４に示すように、電極４１が接続線３６を介してコイル３１より中性点３９側に接続されるのに代えて接続線３５を介してコイル３１より入力端子３８側に接続される点を除いて、実施例の三相交流回転電機２０のステータ２１と同一である。したがって、図３，図４において、実施例の三相交流回転電機２０のステータ２１と同一部分については同一の符号を付した。また、第１，第２比較例の三相交流回転電機２０Ｂ，２０Ｃの各相の導線３０ｕ，３０ｖ，３０ｗの回路図は、実施例（図２参照）と同一となる。
【００２３】
図５〜図７は、それぞれ実施例，第１比較例，第２比較例の三相交流回転電機２０のコイル３１ｕ１周辺の等価回路およびコイル３１ｕ１の各ターン３１ｕ１ａ〜３１ｕ１ｅの高周波電流に対する分担電圧の一例を示す説明図である。なお、図５〜図７では、説明の簡単のために、コイル３１ｕ１のターン数は値５とした。このターン数は、値５に限定されるものではなく、値４以下または値６以上であってもよいのは勿論である。また、以下の説明では、主として、コイル３１ｕ１周辺について説明するが、他のコイル３１ｕ２〜３１ｕ５，３１ｖ１〜３１ｖ５，３１ｗ１〜３１ｗ５周辺については、コイル３１ｕ１周辺と同様に考えることができる。
【００２４】
まず、実施例，第１比較例，第２比較例の三相交流回転電機２０，２０Ｂ，２０Ｃのコイル３１ｕ１周辺の等価回路について説明する。実施例のコイル３１ｕ１周辺では、図５（ａ）に示すように、入力端子３８ｕに接続された電極４０とステータコア２３との間に対地容量５０を有すると共に電極４０とコイル３１ｕ１の各ターン３１ｕ１ａ〜３１ｕ１ｅとの間に並列に浮遊容量５２を有し、コイル３１ｕ１とコイル３１ｕ２との渡り線３２に接続された電極４１とステータコア２３との間に対地容量５１を有すると共に電極４１と各ターン３１ｕ１ａ〜３１ｕ１ｅとの間に並列に浮遊容量５３を有する。また、第１比較例の三相交流回転電機２０Ｂのコイル３１ｕ１周辺では、図６（ａ）に示すように、コイル３１ｕ１の各ターン３１ｕ１ａ〜３１ｕ１ｅとステータコア２３との間に対地容量５０を有する。さらに、第２比較例の三相交流回転電機２０Ｃのコイル３１ｕ１では、図７（ａ）に示すように、入力端子３８ｕに接続された電極４０，４１とステータコア２３との間に対地容量５０を有すると共に電極４０，４１とコイル３１ｕ１の各ターン３１ｕ１ａ〜３１ｕ１ｅとの間に並列に浮遊容量５２を有する。
【００２５】
実施例や第１，第２比較例の三相交流回転電機２０，２０Ｂ，２０Ｃは、図示しないインバータにより駆動される場合、インバータのスイッチング素子のスイッチングのタイミングで、入力端子３８ｕ，３８ｖ，３８ｗ間に、通常の交流電圧に比して急峻に変化するサージ電圧が印加され、コイル３１ｕ１〜３１ｕ５，３１ｖ１〜３１ｖ５，３１ｗ１〜３１ｗ５に高周波電流が流れることがある。
【００２６】
第１比較例の構成の場合、このサージ電圧に伴う高周波電流は、コイル３１ｕ１周辺では、各ターン３１ｕ１ａ〜３１ｕ１ｅに沿って流れるより、各ターン３１ｕ１ａ〜３１ｕ１ｅとステータコア２３との間の対地容量５０に流れやすく、図６（ａ）の太線矢印に示すように、各ターン３１ｕ１ａ〜３１ｕ１ｅから浮遊容量５０を介してステータコア２３に分流する。この結果、入力端子３８ｕ側のターンほど高周波電流が集中し（大きな高周波電流が流れ）、図６（ｂ）に示すように、入力端子３８ｕ側のターンの分担電圧（両端間の電位差）が大きくなる。分担電圧が一定以上となると、微少な放電現象（いわゆる部分放電）が繰り返し発生し、導線３０の被膜が劣化し、絶縁破壊が生じるおそれがある。
【００２７】
第２比較例の構成の場合、入力端子３８ｕに接続された電極４０，４１とコイル３１ｕ１の各ターン３１ｕ１ａ〜３１ｕ１ｅとの間に並列に浮遊容量５２を有するから、コイル３１ｕ１周辺での高周波電流の流れは、図７（ａ）の太線矢印に示すように、入力端子３８ｕから電極４０，４１，浮遊容量５２，各ターン３１ｕ１ａ〜３１ｕ１ｅを介してコイル３１ｕ２側に流れると共に、電極４０，４１から対地容量５０を介してステータコア２３に流れる。この結果、中性点３８側（コイル３１ｕ２側）のターンほど高周波電流が集中し（大きな高周波電流が流れ）、図７（ｂ）に示すように、中性点３９側のターンほど分担電圧が大きくなる。
【００２８】
実施例の構成の場合、入力端子３８ｕに接続された電極４０とコイル３１ｕ１の各ターン３１ｕ１ａ〜３１ｕ１ｅとの間に並列に浮遊容量５２を有すると共にコイル３１ｕ１とコイル３１ｕ２との渡り線３２に接続された電極４１と各ターン３１ｕ１ａ〜３１ｕ１ｅとの間に並列に浮遊容量５３を有するから、コイル３１ｕ１周辺での高周波電流の流れは、図５（ａ）の太線矢印に示すように、入力端子３８ｕから電極４０，浮遊容量５２，各ターン３１ｕ１ａ〜３１ｕ１ｅを介してコイル３１ｕ２側に流れると共に、各ターン３１ｕ１ａ〜３１ｕ１ｅから浮遊容量５３，電極４１を介してコイル３１ｕ２側に流れ、さらに、電極４０，４１から対地容量５０，５１を介してステータコア２３に流れる。このため、特定のターンに高周波電流が集中する（大きな高周波電流が流れる）のを抑制することができ、特定のターンの分担電圧が高くなるのを抑制することができる。これにより、コイル３１ｕ１の各ターン３１ｕ１ａ〜３１ｕ１ｅの分担電圧のうちその最大値を低減することができる。この結果、三相交流回転電機２０の絶縁耐力を向上させることができる。特に、浮遊容量５２と浮遊容量５３とが等しくなるように設計・製造すれば、高周波電流の集中を十分に抑制することができ、図５（ｂ）に示すように、各ターン３１ｕ１ａ〜３１ｕ１ｅの分担電圧を一定にすることができるから、より大きな効果を奏する。
【００２９】
以上説明した実施例の三相交流回転電機２０によれば、ステータコア２３とコイル３１との間に配置され且つステータコア２３に対して絶縁され且つコイル３１との間に静電容量（浮遊容量）を有する電極４０，４１を有し、電極４０が導線３０におけるコイル３１より入力端子３８側に接続されると共に電極４１が導線３０におけるコイル３１より中性点３９側に接続されるから、三相交流回転電機２０にサージ電圧に伴う高周波電流が印加されたときに、コイル３１の各ターンと電極４０，４１との間で並列な浮遊容量５２，５３により、コイル３１の特定のターンに高周波電流が集中して流れる（大きな電流が流れる）のを抑制することができ、特定のターンの高周波電流に対する分担電圧が高くなるのを抑制することができる。この結果、三相交流回転電機２０の絶縁耐力を向上させることができる。
【００３０】
実施例の三相交流回転電機２０では、ステータコア２３とコイル３１との間に配置された電極４０，４１がそれぞれ接続線３５，３６によりコイル３１より入力端子３８側，中性点３９側に接続されるものとしたが、図８の変形例の三相交流回転電機１２０のステータ１２１の一部の分解斜視図および構成図に示すように、電極４０，４１に加えてコイル３１の外周側に電極４２，４３が配置され、電極４０、４１が共にコイル３１より入力端子３８側に接続されると共に電極４２，４３が共にコイル３１より中性点３９側に接続されるものとしてもよい。
【００３１】
実施例の三相交流回転電機２０では、電極４０が接続線３５によりコイル３１より入力端子３８側（コイル３１ｕ１，３１ｖ１，３１ｗ１に対応するものについては入力端子３８ｕ，３８ｖ，３８ｗ、その他のコイルに対応するものについては入力端子３８側のコイルとの渡り線３２）に接続され、電極４１が接続線３６によりコイル３１より中性点３９側（コイル３１ｕ５，３１ｖ５，３１ｗ５に対応するものについては中性点３９、その他のコイルに対応するものについては入力端子３８側のコイルとの渡り線３２）に接続されるものとしたが、電極４０が入力端子３８に接続されると共に電極４１が中性点３９に接続されるものとしてもよい。また、図９の変形例の三相交流回転電機２２０のステータ２２１の一部の分解斜視図および構成図に示すように、電極４０，４１に加えてコイル３１の外周側に電極２４０，２４１が配置され、電極４０，４１が共に接続線２３５により入力端子３８に接続されると共に電極２４０，２４１が共に接続線２３６により中性点３９に接続されるものとしてもよい。これらの場合、隣接する同相のコイル３１同士の分担電圧の差も小さくすることができる。
【００３２】
実施例の三相交流回転電機２０では、各相の導線３０（３０ｕ，３０ｖ、３０ｗ）のコイル３１は、ステータコア２３の各ティース２４に集中巻により巻回されるものとしたが、分布巻により巻回されるものとしてもよい。この場合の三相交流回転電機３２０，４２０のステータ３２１，４２１の一部の構成図を図１０，図１１に示す。図１０，図１１の三相交流回転電機３２０，４２０のステータ３２１，４２１では、コイル３３１は、ステータコア３２３のティース３２４に分布巻により巻回されており（図１０，図１１ではＵ相のコイル３３１ｕをコイル３３１として示す）、コイル３３１とステータコア３２３との間に電極３４０，３４１が配置されている。図１０のステータ３２１では、電極３４０は、接続線３３５によりコイル３３１より入力端子３８側に接続されており、電極３４１は、接続線３３６によりコイル３３１より中性点３９側に接続されている。また、図１１のステータ４２１では、電極３４０は、接続線４３５により入力端子３８に接続されており、電極３４１は、接続線４３６により中性点３９に接続されている。図１０の構成の場合、実施例の三相交流回転電機２０（図１参照）と同様の等価回路を考えることができ、図１１の構成の場合、変形例の三相交流回転電機２２０（図９参照）と同様の等価回路を考えることができる。
【００３３】
実施例の三相交流回転電機２０では、ステータコア２３とコイル３１との間に配置された電極４０，４１が、それぞれ、コイル３１より入力端子３８側，中性点３９側に接続されるものとしたが、コイル３１より入力端子３８側，コイル３１の一点に接続されるものとしてもよいし、コイル３１の一点，コイル３１より中性点３９側に接続されるものとしてもよい。また、３つ以上の電極を備え、コイル３１より入力端子３８側，コイル３１の一点，コイル３１より中性点３９側に、少なくとも１つずつの電極が接続されるものとしてもよい。
【００３４】
実施例の三相交流回転電機２０では、各相の導線３０（３０ｕ，３０ｖ，３０ｗ）は、Ｙ結線されるものとしたが、Δ結線されるものとしてもよい。Δ結線の場合、各相の導線３０のコイル３１より入力端子３８側とコイル３１の一点とコイル３１より他の相の入力端子３８側とのうち少なくとも２箇所に、複数の電極のうち少なくとも１つずつが電気的に接続されるものとすればよい。
【００３５】
実施例の主要な要素と課題を解決するための手段の欄に記載した発明の主要な要素との対応関係について説明する。実施例では、ステータコア２３が「ステータコア」に相当し、各相の導線３０ｕ，３０ｖ，３０ｗが「各相の導線」に相当し、ステータ２１が「ステータ」に相当し、電極４０，４１が「少なくとも１つの電極」に相当する。
【００３６】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３７】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３８】
本発明は、三相交流回転電機の製造産業などに利用可能である。
【符号の説明】
【００３９】
２０，２０Ｂ，２０Ｃ，１２０，２２０，３２０，４２０  三相交流回転電機、２１，２１Ｂ，２１Ｃ，１２１，２２１，３２１，４２１  ステータ、２３，３２３  ステータコア、２４，３２４  ティース、３０，３０ｕ，３０ｖ、３０ｗ  導線、３１，３１ｕ１〜３１ｕ５，３１ｖ１〜３１ｖ５，３１ｗ１〜３１ｗ５，３３１，３３１ｕ  コイル、３１ｕ１ａ〜３１ｕ１ｅ  ターン、３２  渡り線、３５，３６，２３５，２３６，３３５，３３６，４３５，４３６  接続線、３８，３８ｕ，３８ｖ，３８ｗ  入力端子、３９  中性点、４０，４１，２４０，２４１，３４０，３４１  電極、５０，５１  対地容量、５２，５３  浮遊容量。
【図１】
2015154705.tif 000003
【図２】
2015154705.tif 000004
【図３】
2015154705.tif 000005
【図４】
2015154705.tif 000006
【図５】
2015154705.tif 000007
【図６】
2015154705.tif 000008
【図７】
2015154705.tif 000009
【図８】
2015154705.tif 000010
【図９】
2015154705.tif 000011
【図１０】
2015154705.tif 000012
【図１１】
2015154705.tif 000013